(57)【要約】【課題】簡易な構造で放射線を遮蔽することができる放射線汚染物の保管方法を提供する。【解決手段】第１放射線汚染物４６の外側を第１放射線汚染物４６よりも放射線濃度が低い第２放射線汚染物４８で囲む放射線汚染物の保管方法。【選択図】図２
2013104794.tif 000002
【特許請求の範囲】
【請求項１】
第１放射線汚染物の外側を前記第１放射線汚染物よりも放射線濃度が低い第２放射線汚染物で囲む放射線汚染物の保管方法。
【請求項２】
前記第１放射線汚染物の上方を前記第２放射線汚染物で覆っている請求項１に記載の放射線汚染物の保管方法。
【請求項３】
前記第２放射線汚染物の外周を放射線遮蔽体で取り囲む請求項２に記載の放射線汚染物の保管方法。
【請求項４】
前記第１放射線汚染物及び前記第２放射線汚染物は、収容体に詰め込んで積み重ねられ、前記放射線遮蔽体は、放射線で汚染されていない土壌が詰め込まれた収容体を積み重ねて構成されている請求項３に記載の放射線汚染物の保管方法。
【発明の詳細な説明】
【技術分野】
【０００１】
本発明は、放射線汚染物を保管する放射線汚染物の保管方法に関する。
【背景技術】
【０００２】
放射線汚染された地域において再び人々が生活できるように、放射線汚染を受けた土砂、植物、汚泥等の放射線汚染物の除去を行う。除去されたこれらの放射線汚染物（以下、「除去物」とする）は、中間貯蔵施設や最終処分場において長期に保管されるが、これらの施設を建設して稼動させるまでには長い時間を要するので、その前段階として仮置き場に除去物を一時的に保管することが検討されている。
【０００３】
放射線を遮蔽する技術として、コンクリートによって形成された放射線遮蔽構造が多く利用されている。例えば、特許文献１の放射線遮蔽構造は、対向する鋼板と、この鋼板の間に打設されたコンクリートとによって構成されている。
【０００４】
しかし、このような放射線遮蔽構造により外周部を取り囲んで仮置き場を建設する場合、建設にかなりの手間が掛かってしまう。特に、仮置き場は一時的な保管施設なので、短時間での建設が望まれる。
【先行技術文献】
【特許文献】
【０００５】
【特許文献１】特開２００４−３１７２４２号公報
【発明の概要】
【発明が解決しようとする課題】
【０００６】
本発明は係る事実を考慮し、簡易な構造で放射線を遮蔽することができる放射線汚染物の保管方法を提供することを課題とする。
【課題を解決するための手段】
【０００７】
請求項１に記載の発明は、第１放射線汚染物の外側を前記第１放射線汚染物よりも放射線濃度が低い第２放射線汚染物で囲む放射線汚染物の保管方法である。
【０００８】
請求項１に記載の発明では、第１放射線汚染物から放射される放射線を第２放射線汚染物により遮蔽し、この放射線が第２放射線汚染物の外側へ漏洩することを抑制できる。よって、第１放射線汚染物の外側を第２放射線汚染物で囲むだけの簡易な構造で、第１放射線汚染物から放射される放射線を遮蔽できる。
【０００９】
請求項２に記載の発明は、前記第１放射線汚染物の上方を前記第２放射線汚染物で覆っている。
【００１０】
請求項２に記載の発明では、第１放射線汚染物から放射される放射線の一部である散乱線（スカイシャイン）を第２放射線汚染物が遮蔽し、この散乱線が第２放射線汚染物の外側へ漏洩することを抑制できる。
【００１１】
請求項３に記載の発明は、前記第２放射線汚染物の外周を放射線遮蔽体で取り囲んでいる。
【００１２】
請求項３に記載の発明では、放射線遮蔽体によって、第２放射線汚染物から放射される放射線を遮蔽できる。また、第１放射線汚染物の外側を囲む第２放射線汚染物は、第１放射線汚染物よりも放射線濃度が低いので、第２放射線汚染物の外周を取り囲む放射線遮蔽体の構成を簡易化できる。
【００１３】
請求項４に記載の発明は、前記第１放射線汚染物及び前記第２放射線汚染物は、収容体に詰め込んで積み重ねられ、前記放射線遮蔽体は、放射線で汚染されていない土壌が詰め込まれた収容体を積み重ねて構成されている。
【００１４】
請求項４に記載の発明では、第１放射線汚染物及び第２放射線汚染物を収容体に詰め込むことにより、第１放射線汚染物及び第２放射線汚染物を容易に移動させることができ、また、風によって第１放射線汚染物及び第２放射線汚染物が飛散するのを防ぐことができる。
【００１５】
また、放射線遮蔽体の形成にコンクリートを使用しないので、放射線遮蔽体を構築するコストを低減することができる。
【発明の効果】
【００１６】
本発明は上記構成としたので、簡易な構造で放射線を遮蔽することができる。
【図面の簡単な説明】
【００１７】
【図１】本発明の実施形態に係る保管施設を示す平面図である。
【図２】本発明の実施形態に係る保管施設を示す正面断面図である。
【図３】本発明の実施形態に係る収容体の配置状況を示す説明図である。
【図４】本発明の実施形態に係る収容体の配置手順を示す説明図である。
【図５】本発明の実施形態に係る収容体の配置手順を示す説明図である。
【図６】本発明の実施形態に係る収容体の配置方法の変形例を示す断面図である。
【図７】本発明の実施形態に係る収容体の配置方法の変形例を示す断面図である。
【図８】本発明の実施形態に係る保管施設の変形例を示す正面断面図である。
【図９】本発明の実施形態に係る保管施設の変形例を示す正面断面図である。
【図１０】本発明の実施例に係る数値シミュレーションのモデルを示す説明図である。
【図１１】本発明の実施例に係る数値シミュレーションのモデルを示す説明図である。
【図１２】本発明の実施例に係る除去物からの距離に対する散乱線線量を示す線図である。
【発明を実施するための形態】
【００１８】
図を参照しながら、本発明の実施形態を説明する。まず、本発明の実施形態に係る放射線汚染物の保管方法について説明する。
【００１９】
図１の平面図には、本発明の実施形態に係る放射線汚染物の保管施設（以下、「保管施設」とする）１０が示されている。保管施設１０では、放射線汚染された地域（以下、「除染エリア」とする）から運び込まれた除去物を一時的に保管する。保管施設１０で保管された除去物は、後に中間貯蔵施設や最終処分場に移送される。
【００２０】
ここで、除去物とは、除染エリアにおいて再び人々が生活できるように除去された放射線汚染物であり、例えば、地盤表層を剥ぎ取った土壌や砂利等の土砂、コンクリートやアスファルト等の切削粉塵、側溝に堆積された汚泥、焼却灰等の塵埃、及び植物の枯葉、草類、表皮、幹、枝、根などが挙げられる。
【００２１】
除去物は、除染エリア又は保管施設１０内において、後に説明する収容体Ｌ、Ｍ、Ｈに詰め込まれた状態で、保管施設１０に備えられた除去物保管ヤード１２に保管される。除染エリアにおいて除去物を収容体Ｌ、Ｍ、Ｈに詰め込んだ場合には、除去物を詰め込んだ収容体Ｌ、Ｍ、Ｈをトラック等の搬送車両に積み込んで保管施設１０に移送し、保管施設１０において除去物を収容体Ｌ、Ｍ、Ｈに詰め込む場合には、除去物を積載したトラック等の搬送車両により除去物を保管施設１０に移送する。
【００２２】
保管施設１０には、除去物保管ヤード１２、放射線遮蔽体としての周壁１４、土壌処理前仮置きヤード１６、土壌処理ヤード１８、焼却処理前仮置きヤード２０、焼却処理ヤード２２、駐車場２４、管理棟２６が備えられている。
【００２３】
土壌処理ヤード１８では、除去物として保管施設１０に搬入された土壌を洗浄して、この土壌から放射性物質を取り除く。放射性物質が取り除かれた土壌は、除染エリアに戻される。焼却処理ヤード２２では、植物の枯葉、草類、表皮、幹、枝、根等の可燃性を有する除去物を燃焼する。これにより、除去物の容量を小さくした状態で、除去物保管ヤード１２に保管できるので、多くの量の除去物を除去物保管ヤード１２に保管することができる。
【００２４】
土壌処理前仮置きヤード１６は、土壌処理ヤード１８で処理する除去物を仮置きするためのヤードであり、焼却処理前仮置きヤード２０は、焼却施設ヤード２２で処理する除去物を仮置きするためのヤードである。
【００２５】
除去物保管ヤード１２では、本発明の放射線汚染物の保管方法により、除去物が保管されている。図１に示すように、除去物保管ヤード１２は、３つの領域（低濃度除去物保管領域２８、中濃度除去物保管領域３０、高濃度除去物保管領域３２）に区分けされている。平面視にて、高濃度除去物保管領域３２は、除去物保管ヤード１２の略中央部に配置されており、中濃度除去物保管領域３０は、高濃度除去物保管領域３２の外周全てを囲むように配置されており、低濃度除去物保管領域２８は、中濃度除去物保管領域３０の外周全てを囲むように配置されている。
【００２６】
図１のＡ−Ａ断面図である図２に示すように、地盤３４の表層を５０ｃｍほど掘削した掘削地盤面３６の上には、ゼオライト層３８が形成されており、このゼオライト層３８の上に、鉄筋コンクリートによって形成された床版４０が設けられている。すなわち、床版４０は、直接基礎を構成している。
【００２７】
床版４０の上面には、床版４０の中央部から外周部に向かって低くなる１／１５０程度の排水勾配が形成されており、床版４０の外周部には、床版４０と一体となるように鉄筋コンクリートによって形成された遮水壁４２が立てられている。遮水壁４２の内壁面に隣接する床版４０の上面には、排水溝４４が形成されている。
【００２８】
図２に示すように、正面視及び側面視にて（図２は、正面視した断面図）、高濃度除去物保管領域３２は、床版４０の略中央部に配置されており、中濃度除去物保管領域３０は、高濃度除去物保管領域３２の側方と上方とを囲むように配置されており、低濃度除去物保管領域２８は、中濃度除去物保管領域３０の側方と上方とを囲むように配置されている。
【００２９】
図１、２に示すように、高濃度除去物保管領域３２には、高濃度除去物４６が詰め込まれた収容体Ｈが複数配置されている。収容体Ｈは、床版４０の略中央部上面に設置された収容器５２内に複数敷き並べられ積み重ねられて配置されている。
【００３０】
収容器５２は、鉄筋コンクリートによって形成された筒体を上下に複数積み上げることによって形成されている。最下部に位置する筒体には、この筒体の下面開口部を塞ぐように底部材がこの筒体と一体に設けられており、最上部に位置する筒体の上面の開口部は、コンクリート板（特に、軽量化が図られたコンクリート板）、鉄板、鉛板等により構成された蓋部材５４によって取り外し可能に塞がれている。
【００３１】
中濃度除去物保管領域３０には、中濃度除去物４８が詰め込まれた収容体Ｍが、床版４０及び蓋部材５４の上に複数敷き並べられ積み重ねられて配置されている（図２には、蓋部材５４の上に一段分の収容体Ｍが敷き並べられている例が描かれている）。
【００３２】
低濃度除去物保管領域２８には、低濃度除去物５０が詰め込まれた収容体Ｌが、床版４０、及び蓋部材５４の上に載置された収容体Ｍの上に、複数敷き並べられ積み重ねられて配置されている。
【００３３】
収容体Ｌ、Ｍ、Ｈは、高濃度除去物４６、中濃度除去物４８、及び低濃度除去物５０を塊状に収容できるものであればよい。例えば、収容体Ｌ、Ｍ、Ｈを、ポリエチレンやポリプロピレン等の丈夫な化学繊維で織られたシートによって形成された袋状の包材としてもよいし、ドラム缶や他の容器としてもよい。
【００３４】
ここで、低濃度除去物５０は、８０００Ｂｑ／ｋｇ以下の放射線濃度を有する除去物であり、中濃度除去物４８は、８０００Ｂｑ／ｋｇよりも大きく１０００００Ｂｑ／ｋｇ以下の放射線濃度を有する除去物であり、高濃度除去物４６は、１０００００Ｂｑ／ｋｇよりも大きい放射線濃度を有する除去物である。
【００３５】
図１に示すように、周壁１４は、平面視にて除去物保管ヤード１２（低濃度除去物保管領域２８、中濃度除去物保管領域３０、及び高濃度除去物保管領域３２）の外周を取り囲むようにして配置されている。また、図２に示すように、周壁１４は、放射線で汚染されていない土壌（以下。「非汚染土壌」とする）５６が詰め込まれた収容体Ｎを複数敷き並べ積み重ねて構成されている。
【００３６】
収容体Ｎは、土壌を塊状に収容できるものであればよく、収容体Ｌ、Ｍ、Ｈと同様の包材、ドラム缶、容器等を用いることができる。また、収容体Ｎに詰め込む非汚染土壌５６は、床版４０を設置するために掘削した地盤３４の表層を用いれば、周壁１４を形成する材料の有効利用が図れるので好ましい。放射線によって汚染されていない土壌は、略５ｃｍよりも深い位置の地盤３４から得ることができる。
【００３７】
図２に示すように、周壁１４の高さは、中濃度除去物保管領域３０及び高濃度除去物保管領域３２の高さよりも高くなっている。図１に示すように、周壁１４は、周壁１４の周方向に対して一部が途切れており、この途切れている部分が保管施設１０の出入口５８になっている。出入口５８には、保管施設１０に対する、人、車両等の出入りを規制する開閉式ゲート６０が設けられている。
【００３８】
これまで説明したように、本発明の放射線汚染物の保管方法は、高濃度除去物４６を第１放射線汚染物とした場合に、第１放射線汚染物としての高濃度除去物４６の外側を、第１放射線汚染物よりも放射線濃度が低い第２放射線汚染物としての中濃度除去物４８で囲み、中濃度除去物４８の外周を放射線遮蔽体としての周壁１４で取り囲むとともに、高濃度除去物４６の上方を中濃度除去物４８で覆う構成になっている。
【００３９】
また、本発明の放射線汚染物の保管方法は、中濃度除去物４８を第１放射線汚染物とした場合に、第１放射線汚染物としての中濃度除去物４８の外側を、第１放射線汚染物よりも放射線濃度が低い第２放射線汚染物としての低濃度除去物５０で囲み、低濃度除去物５０の外周を放射線遮蔽体としての周壁１４で取り囲むとともに、中濃度除去物４８の上方を低濃度除去物５０で覆う構成になっている。
【００４０】
保管施設１０に備えられる各ヤードの大きさは、低濃度除去物５０、中濃度除去物４８、及び高濃度除去物４６の保管量や、これらの保管量の割合等を考慮して適宜決めればよい。例えば、平面寸法において、保管施設１０の外形を２００ｍ×２００ｍ、除去物保管ヤード１２の外形を８０ｍ×１２０ｍ、高濃度除去物保管領域３２の外形を２０ｍ×１６ｍ、中濃度除去物保管領域３０の外形を９０ｍ×５０ｍ、低濃度除去物保管領域２８の外形を１２０ｍ×８０ｍとしてもよい。
【００４１】
図２に示すように、収容体Ｌは、上部が山形状になるように積み重ねられ、この上部を遮水シート６２によって覆うことにより屋根を形成している。
【００４２】
図２に示すように、収容体Ｌ、Ｍ、Ｈを除去物保管ヤード１２に搬入し配置している際に発生した雨水や、収容体Ｌ、Ｍ、Ｈから流れ出た湧水等の地盤３４中への漏洩は、床版４０及び遮水壁４２により防がれ、床版４０の有する排水勾配によって、排水溝４４に集水される。そして、集水された水は、放射性物質の除去処理が適切に行われた後に排水される。
【００４３】
図１に示すように、除去物保管ヤード１２には測定孔６４が設けられている。測定孔６４は、排水溝４４に溜まった排水の放射線濃度を測定し、収容体Ｌ、Ｍ、Ｈから放射性物質が漏洩していないかを監視する。周壁１４付近外側の地盤３４中には、測定孔６６が設けられている。測定孔６６は、測定孔６６の下部に溜まった地下水の放射線濃度を測定し、除去物保管ヤード１２から近隣の地盤３４へ放射性物質が漏洩していないかを監視する。なお、測定孔６４、６６の配置や数は、適宜決めればよい。
【００４４】
また、周壁１４付近外側では、放射線の空気線量を測定し、保管施設１０からこの保管施設１０の外側へ放射線が漏洩していないか監視する。
【００４５】
収容体Ｌ、Ｍ、Ｈを除去物保管ヤード１２に配置する手順は、保管する除去物の量や種類に応じて適宜決めればよい。収容体Ｌ、Ｍ、Ｈを除去物保管ヤード１２に配置する手順の一例を紹介すると、まず、図１、３に示すように、地盤３４の表層を掘削してゼオライト層３８及び床版４０を形成し、ラフタークレーン６８の走行及び設置が可能な仮設道路７０を除去物保管ヤード１２に設けた後に、地盤３４上に、非汚染土壌５６が詰め込まれた収容体Ｎを複数敷き並べ積み重ねて、周壁１４を構築する。収容体Ｌ、Ｍ、Ｈ、Ｎは、仮設道路７０に設置されたラフタークレーン６８によって移設する。
【００４６】
次に、図４（ａ）、（ｂ）に示すように、床版４０の上に、一段目の収容体Ｌ、Ｍ、Ｈを敷き並べて配置する。
【００４７】
次に、図４（ｃ）に示すように、下段の収容体Ｌ、Ｍ、Ｈの上に一段分の収容体Ｌ、Ｍ、Ｈを敷き並べて積み重ねる作業を、収容体Ｌ、Ｍ、Ｈが所定の高さになるまで繰り返す。
【００４８】
次に、図４（ｄ）に示すように、収容器５２の上面開口部を蓋部材５４によって塞いだ後に、収容体Ｌの上に一段分の収容体Ｌを敷き並べて積み重ね、収容体Ｍ及び蓋部材５４の上に一段分の収容体Ｍを敷き並べて積み重ねる。
【００４９】
次に、収容体Ｌ、Ｍが所定の高さになるまで、下段の収容体Ｌ、Ｍの上に一段分の収容体Ｌ、Ｍを敷き並べて積み重ねる作業を繰り返す。
【００５０】
次に、図４（ｅ）に示すように、収容体Ｍの上に一段分の収容体Ｌを敷き並べて積み重ねる。
【００５１】
次に、収容体Ｌが所定の高さになるまで、収容体Ｌの上に一段分の収容体Ｌを敷き並べて積み重ねる作業を繰り返す。
【００５２】
このように、図４に示す収容体Ｌ、Ｍ、Ｈの配置手順では、一段分の収容体Ｌ、Ｍ、Ｈを複数敷き並べ積み重ねる作業を繰り返すことによって、除去物保管ヤード１２に収容体Ｌ、Ｍ、Ｈを配置する。
【００５３】
収容体Ｌ、Ｍ、Ｈを除去物保管ヤード１２に配置する手順の他の一例を紹介すると、まず、図１、３に示すように、地盤３４の表層を掘削してゼオライト層３８及び床版４０を形成し、ラフタークレーン６８の走行及び設置が可能な仮設道路７０を除去物保管ヤード１２に設けた後に、地盤３４上に、非汚染土壌５６が詰め込まれた収容体Ｎを複数敷き並べ積み重ねて、周壁１４を構築する。収容体Ｌ、Ｍ、Ｈ、Ｎは、仮設道路７０に設置されたラフタークレーン６８によって移設する。
【００５４】
次に、図５（ａ）、（ｂ）に示すように、平面視にて中濃度除去物保管領域３０の外側に配置する全ての収容体Ｌを床版４０の上に敷き並べ積み重ねて配置する。
【００５５】
次に、図５（ｃ）に示すように、平面視にて高濃度除去物保管領域３２の外側に配置する全ての収容体Ｍを床版４０の上に敷き並べ積み重ねて配置する。
【００５６】
次に、図５（ｄ）に示すように、収容器５２内に収容体Ｈを敷き並べ積み重ねて配置した後に、収容器５２の上面開口部を蓋部材５４によって塞ぐ。
【００５７】
次に、図５（ｅ）に示すように、残りの収容体Ｍ、Ｌを敷き並べ積み重ねて配置する。
【００５８】
なお、図４、５で示した手順において、配置作業の途中段階での収容体Ｈ、Ｍ（高濃度除去物４６、中濃度除去物４８）からの散乱線（スカイシャイン）の影響が問題になる場合には、収容器５２の上面開口部を蓋部材５４によって塞いだり、収容体Ｍの上方を放射線遮蔽性を有するシート材等によって養生したりすることを適宜行う。
【００５９】
次に、本発明の実施形態に係る放射線汚染物の保管方法の作用及び効果について説明する。
【００６０】
本発明の実施形態の放射線汚染物の保管方法では、図２に示すように、高濃度除去物保管領域３２に複数配置された収容体Ｈに詰め込まれた高濃度除去物４６から放射される放射線を、中濃度除去物保管領域３０に複数配置された収容体Ｍに詰め込まれた中濃度除去物４８によって形成された遮蔽層と、低濃度除去物保管領域２８に複数配置された収容体Ｌに詰め込まれた低濃度除去物５０によって形成された遮蔽層とが遮蔽し、この放射線が除去物保管ヤード１２の外側へ漏洩することを抑制できる。
【００６１】
また、中濃度除去物保管領域３０に複数配置された収容体Ｍに詰め込まれた中濃度除去物４８から放射される放射線を、低濃度除去物保管領域２８に複数配置された収容体Ｌに詰め込まれた低濃度除去物５０によって形成された遮蔽層が遮蔽し、この放射線が除去物保管ヤード１２の外側へ漏洩することを抑制できる。
【００６２】
よって、高濃度除去物４６が詰め込まれた収容体Ｈが複数配置された高濃度除去物保管領域３２の外側を、中濃度除去物４８が詰め込まれた収容体Ｍが複数配置された中濃度除去物保管領域３０で囲み、中濃度除去物４８が詰め込まれた収容体Ｍが複数配置された中濃度除去物保管領域３０の外側を、低濃度除去物５０が詰め込まれた収容体Ｌが複数配置された低濃度除去物保管領域２８で囲むだけの簡易な構造で、高濃度除去物保管領域３２に複数配置された収容体Ｈに詰め込まれた高濃度除去物４６、及び中濃度除去物保管領域３０に複数配置された収容体Ｍに詰め込まれた中濃度除去物４８から放射される放射線を遮蔽できる。また、保管施設１０内の放射線量を低く抑えることができる。
【００６３】
また、周壁１４によって、低濃度除去物保管領域２８に複数配置された収容体Ｌに詰め込まれた低濃度除去物５０から、周壁１４の外側へ放射線が漏洩するのを防ぐことができる。特に、高濃度除去物保管領域３２及び中濃度除去物保管領域３０の外側に配置される低濃度除去物保管領域２８に複数配置された収容体Ｌに詰め込まれた低濃度除去物５０は、高濃度除去物保管領域３２に複数配置された収容体Ｈに詰め込まれた高濃度除去物４６や、中濃度除去物保管領域３０に複数配置された収容体Ｍに詰め込まれた中濃度除去物４８よりも放射線濃度が低いので、低濃度除去物保管領域２８の外周を取り囲む放射線遮蔽体としての周壁１４の構成を簡易化できる。
【００６４】
これらにより、高濃度除去物保管領域３２に複数配置された収容体Ｈに詰め込まれた高濃度除去物４６、中濃度除去物保管領域３０に複数配置された収容体Ｍに詰め込まれた中濃度除去物４８、及び低濃度除去物保管領域２８に複数配置された収容体Ｌに詰め込まれた低濃度除去物５０から放射される放射線を簡易な構造で遮蔽することができる。
【００６５】
また、高濃度除去物保管領域３２に複数配置された収容体Ｈに詰め込まれた高濃度除去物４６から放射される放射線の一部である散乱線（スカイシャイン）を、中濃度除去物保管領域３０に複数配置された収容体Ｍに詰め込まれた中濃度除去物４８によって形成され高濃度除去物保管領域３２の上方を覆う遮蔽層と、低濃度除去物保管領域２８に複数配置された収容体Ｌに詰め込まれた低濃度除去物５０によって形成され中濃度除去物保管領域３０の上方を覆う遮蔽層とが遮蔽し、この散乱線（スカイシャイン）が除去物保管ヤード１２の外側へ漏洩することを抑制できる。
【００６６】
また、中濃度除去物保管領域３０に複数配置された収容体Ｍに詰め込まれた中濃度除去物４８から放射される放射線の一部である散乱線（スカイシャイン）を、低濃度除去物保管領域２８に複数配置された収容体Ｌに詰め込まれた低濃度除去物５０によって形成され中濃度除去物保管領域３０の上方を覆う遮蔽層が遮蔽し、この散乱線（スカイシャイン）が除去物保管ヤード１２の外側へ漏洩することを抑制できる。
【００６７】
また、低濃度除去物５０、中濃度除去物４８、及び高濃度除去物４６を収容体Ｌ、Ｍ、Ｈに詰め込むことにより、これらの除去物をラフタークレーンやフォークリフト等の揚重機や、トラック等の搬送車両等によって、容易に移動させることができる。また、風によってこれらの除去物が飛散するのを防ぐことができる。
【００６８】
また、放射線遮蔽体としての周壁１４の形成にコンクリートを使用しないので、放射線遮蔽体を構築するコストを低減することができる。
【００６９】
また、放射線濃度の高い、高濃度除去物４６や中濃度除去物４８を詰め込んだ収容体Ｈ、Ｍが、除去物保管ヤード１２の内側に配置されているので、除去物保管ヤード１２の外周部から収容体Ｈ、Ｍまでの距離を長くすることができる。これによって、距離を離すことにより放射線のエネルギーを弱める効果が期待できるので、除去物保管ヤード１２の外周部から保管施設１０の外周部までの距離を長くしなくても、収容体Ｈ、Ｍに詰め込まれた高濃度除去物４６や中濃度除去物４８から放射される放射線のエネルギーを弱めて保管施設１０の外側へ放射線が漏洩することを防ぐことができる。すなわち、保管施設１０の敷地を小さくすることができる。
【００７０】
また、放射線遮蔽性を有する収容器５２内に、放射線濃度の高い高濃度除去物４６を配置することによって、高濃度除去物４６から放射される放射線の遮蔽効果を高めることができる。
【００７１】
また、図２に示すように、床版４０は、地盤３４の表層を掘削した地耐力のある掘削地盤面３６の上に設けられているので、床版４０が不同沈下することによりこの床版４０に亀裂が生じることを防ぐことができる。また、仮に、床版４０に亀裂が生じてしまった場合においても、この亀裂から地盤３４へ進入しようとする湧水等に含まれる放射性物質をゼオライト層３８によって吸収して、地盤３４中へ漏洩するのを防ぐことができる。
【００７２】
また、保管施設１０は、保管された放射線汚染物（除去物）から放射される放射線が保管施設１０の外側へ漏洩することを防ぐとともに、放射線汚染物（除去物）をまとめて管理することができる。
【００７３】
以上、本発明の実施形態について説明した。
【００７４】
なお、本発明の実施形態では、除去物保管ヤード１２を３つの領域（低濃度除去物保管領域２８、中濃度除去物保管領域３０、高濃度除去物保管領域３２）に区分けし、高濃度除去物保管領域３２の外側を囲むように中濃度除去物保管領域３０を配置し、中濃度除去物保管領域３０の外側を囲むように低濃度除去物保管領域２８を配置することにより、高濃度除去物４６の外側を中濃度除去物４８で囲むとともに、中濃度除去物４８の外側を低濃度除去物５０で囲む例を示したが、ある放射線濃度を有する除去物の外側をこの除去物よりも低い放射線濃度を有する除去物で囲む構成を有していれば、除去物保管ヤード１２をいくつの領域に区分けしてもよい。
【００７５】
例えば、除去物保管ヤード１２を２つの領域（低濃度除去物保管領域、高濃度除去物保管領域）に区分けし、高濃度除去物保管領域の外側を囲むように低濃度除去物保管領域を配置するようにしてもよいし、除去物保管ヤード１２を４つの領域（第１〜第４濃度除去物保管領域）に区分けし、第１濃度除去物保管領域の外側を囲むように第２濃度除去物保管領域を配置し、第２濃度除去物保管領域の外側を囲むように第３濃度除去物保管領域を配置し、第３濃度除去物保管領域の外側を囲むように第４濃度除去物保管領域を配置するようにしてもよい。
【００７６】
また、本発明の実施形態では、除去物を放射線濃度に基づいて３つのグループ（高濃度除去物４６、中濃度除去物４８、低濃度除去物５０）に仕分けた例を示したが、除去物はいくつのグループに仕分けてもよいし、各グループの放射線濃度の値の範囲をどのように設定してもよい。
【００７７】
また、この仕分けは、除去物を除染エリアで除去してから除去物保管ヤード１０に配置するまでの間の、どのタイミングで行ってもよい。例えば、除染エリアで収容体Ｈ、Ｍ、Ｌに除去物を詰め込んで、この収容体Ｈ、Ｍ、Ｌに詰め込まれた除去物の放射線濃度を除染エリア又は保管施設１０内で測定してグループを判定するようにしてもよいし、保管施設１０内で収容体Ｈ、Ｍ、Ｌに除去物を詰め込んだときに、この収容体Ｈ、Ｍ、Ｌに詰め込まれた除去物の放射線濃度を測定してグループを判定するようにしてもよい。
【００７８】
また、放射線濃度の測定は、収容体Ｈ、Ｍ、Ｌに詰め込む前に行ってもよい。例えば、除去物を除去する前に、この除去する場所の放射線濃度を測定してグループ判定を行い、この場所から除去された除去物をこのグループとするようにしてもよい。
【００７９】
また、本発明の実施形態では、収容体Ｈ、Ｍ、Ｌを複数敷き並べて積み重ねることによって除去物保管ヤード１２に収容体Ｈ、Ｍ、Ｌを配置する例を示したが、これらの収容体Ｈ、Ｍ、Ｌは、収容体Ｈ、Ｍ、Ｌ同士を接触させて配置してもよいし、隙間を空けて配置してもよい。また、中濃度除去物保管領域３０と低濃度除去物保管領域２８との間にコンクリート等によって形成された仕切り壁を設けるようにしてもよい。
【００８０】
また、本発明の実施形態では、鉄筋コンクリートによって形成された収容器５２内に、高濃度除去物４６が詰め込まれた収容体Ｈを配置した例を示したが、収容器５２内に配置された除去物から放射される放射線を遮蔽できれば、収容器５２はどのような材料によって形成してもよい。例えば、収容器５２を、鉄、鉛、タングステン等により形成してもよい。また、低濃度除去物保管領域２８に配置される収容体Ｌや、中濃度除去物保管領域３０に配置される収容体Ｍを、収容器５２と同様の構成の収容器内に配置するようにしてもよいし、収容器５２と同様の放射線遮蔽性を有する材料で形成した壁で、低濃度除去物保管領域２８や中濃度除去物保管領域３０の側方や上方を取り囲むようにしてもよい。
【００８１】
また、本発明の実施形態では、正面視及び側面視にて、中濃度除去物４８を高濃度除去物４６の上方に配置し、低濃度除去物５０を中濃度除去物４８の上方に配置した例を示したが、高濃度除去物４６や中濃度除去物４８から放射される散乱線（スカイシャイン）が保管施設１０の外側へ漏洩しなければ、高濃度除去物４６の上方に中濃度除去物４８を配置したり、中濃度除去物４８の上方に低濃度除去物５０を配置したりしなくてもよい。
【００８２】
高濃度除去物４６や中濃度除去物４８から放射される散乱線（スカイシャイン）が保管施設１０の外側へ漏洩することが考えられる場合には、高濃度除去物４６の上方に中濃度除去物４８を配置したり、中濃度除去物４８の上方に低濃度除去物５０を配置したりする以外に、例えば、図６、７に示すような方法を用いてもよい。
【００８３】
図６の正面断面図では、収容体Ｈ、Ｍ、Ｌ内に詰め込まれた除去物７２の上面に、この除去物を覆うように厚さ２０ｃｍほど非汚染土壌７４（放射線に汚染されていない土壌）を詰め込んでいる。これにより、非汚染土壌７４による略水平の遮蔽層が複数形成される。
【００８４】
図７の正面断面図では、除去物７２が詰め込まれた収容体Ｈ、Ｍ、Ｌの上面に、鉄板や鉛板等からなる放射線遮蔽板７６を配置し、この放射線遮蔽板７６の上面に次の段の収容体Ｈ、Ｍ、Ｌを載置している。これにより、放射線遮蔽板７６による略水平の遮蔽層が複数形成される。
【００８５】
また、屋根を構成する遮水シート６２（図２を参照のこと）の上面を、非汚染土壌７４（放射線に汚染されていない土壌）で覆ったり、屋根面を鉛、鉄、タングステン、コンクリート（特に、軽量化を図ったコンクリート）で形成したりすれば、高濃度除去物４６や中濃度除去物４８から放射される散乱線（スカイシャイン）の遮蔽性を向上させることができる。
【００８６】
また、本発明の実施形態では、放射線で汚染されていない土壌が詰め込まれた収容体Ｎを複数敷き並べ積み重ねることによって周壁１４を構成した例を示したが、周壁１４は、この周壁１４の外側へ放射線が漏洩することを防ぐことができれば、どのような材料によって形成してもよい。地盤３４の掘削土を用いれば、掘削土の有効利用を図ることができる。
【００８７】
また、低濃度除去物保管領域２８に複数配置された収容体Ｌに詰め込まれた低濃度除去物５０から、保管施設１０の外側へ放射線が漏洩しなければ、周壁１４は設けなくてもよい。例えば、放射線のエネルギーが弱まって保管施設１０の外側へ放射線放射線が漏洩しないだけの距離を、低濃度除去物保管領域２８の外周部から保管施設１０の外周部までの間に確保できれば、周壁１４は設けなくてもよい。
【００８８】
また、本発明の実施形態では、図２に示すように、地盤３４の表層を掘削した掘削地盤面３６の上にゼオライト層３８を介して床版４０を設けた例を示したが、図８、９に示すように、地盤３４を深く掘削してこの掘削地盤面７８、８０の上にゼオライト層３８を介して床版４０を設けるようにしてもよい。このようにすれば、地盤３４を放射線遮蔽壁とすることができる。図９では、高濃度除去物保管領域３２を地盤３４のより深い位置に配置し、高濃度除去物４６よりも放射線濃度の低い中濃度除去物４８が配置されている中濃度除去物保管領域３０を高濃度除去物保管領域３２よりも浅い位置に配置し、中濃度除去物４８よりも放射線濃度の低い低濃度除去物５０が配置されている低濃度除去物保管領域２８を中濃度除去物保管領域３０よりも浅い位置に配置することによって、図８よりも地盤３４の掘削量を小さくすることができる。
【００８９】
また、本発明の実施形態では、床版４０を直接基礎とした例を示したが、床版４０を支持杭によって支持するようにしてもよいし、地盤３４に地盤改良を施し、この地盤改良が施された地盤上に除去物を配置するようにしてもよい。地盤３４に地盤改良を施せば、この地盤に遮水性を付与することができるので、この地盤からの放射性物質の漏洩防止が期待できる。
【００９０】
また、本発明の実施形態で示した放射性汚染物の保管方法は、必要となる仕様に応じて、低濃度除去物保管領域２８、中濃度除去物保管領域３０、及び高濃度除去物保管領域３２の厚さ等を適宜設定することにより、中間貯蔵施設に適用することができる。
【００９１】
以上、本発明の実施形態について説明したが、本発明はこうした実施形態に何等限定されるものでなく、本発明の要旨を逸脱しない範囲において、種々なる態様で実施し得ることは勿論である。
【００９２】
(実施例）
【００９３】
本実施例では、数値シミュレーションによって評価した放射線遮蔽効果について説明する。
【００９４】
図１０には、放射線の一部である直線線の遮蔽効果を評価するモデル８２が示されている。モデル８２では、平坦な地盤８４の上面に８０００Ｂｑ／ｋｇの低濃度除去物８６が配置され、この低濃度除去物８６から距離ｄ１だけ離れた測定点９０との間に非汚染土壌（放射線によって汚染されていない土壌）によって形成された放射線遮蔽壁８８が立てられている。低濃度除去物８６と放射線遮蔽壁８８との高さは同じになっている。
【００９５】
モデル８２に対して数値シミュレーションを行った結果、放射線遮蔽壁８８の厚さｔ１を３０ｃｍ以上とし、距離ｄ１を１０ｍ以上にすれば、測定点９０での空間線量が１ｍＳｖ／年以下になるので、測定点９０での直線線の影響が小さいことがわかった。
【００９６】
図１１には、放射線の一部である散乱線（スカイシャイン）の遮蔽効果を評価するモデル９２が示されている。モデル９２では、平坦な地盤８４上に、８０００Ｂｑ／ｋｇの低濃度除去物８６と、１０００００Ｂｑ／ｋｇの中濃度除去物９４と、１００００００Ｂｑ／ｋｇの高濃度除去物１０４とが配置され、左側に配置された低濃度除去物８６の端部から離れた位置に非汚染土壌（放射線によって汚染されていない土壌）によって形成された放射線遮蔽壁８８が立てられている。中濃度除去物９４の上面は、放射線遮蔽性を有する遮蔽蓋９６によって覆われており、中濃度除去物９４と放射線遮蔽壁８８との高さは同じになっている。また、高濃度除去物１０４の上面は蓋部材５４で覆われている。
【００９７】
図１２には、モデル９２に対して数値シミュレーションを行った結果のグラフ（左側に配置された低濃度放射線除去物８６の端部からの距離ｄ２（横軸）に対する中濃度除去物９４から放射される散乱線線量（縦軸））が示されている。値９８は、遮蔽蓋９６を厚さｔ２が２０ｃｍの土壌とした場合の値を示し、値１００は、遮蔽蓋９６を厚さｔ２が２ｃｍの鉄板とした場合の値を示し、値１０２は、遮蔽蓋９６を設けない場合の値を示している。
【００９８】
図１２からわかるように、遮蔽蓋９６を厚さｔ２が２０ｃｍの土壌とした値９８の場合には、距離ｄ２が３０ｍ以上となる測定点９０において散乱線線量を１ｍＳｖ／年以下とすることができ、遮蔽蓋９６を厚さｔ２が２ｃｍの鉄板とした値１００の場合には、距離ｄ２が５０ｍ以上となる測定点９０において散乱線線量を１ｍＳｖ／年以下とすることができる。
【符号の説明】
【００９９】
１４  周壁（放射線遮蔽体）
４６  高濃度除去物（第１放射線汚染物）
４８  中濃度除去物（第１放射線汚染物、第２放射線汚染物）
５０  低濃度除去物（第２放射線汚染物）
５６  非汚染土壌（放射線で汚染されていない土壌）
Ｈ、Ｍ、Ｌ、Ｎ  収容体
【図１】
2013104794.tif 000003
【図２】
2013104794.tif 000004
【図３】
2013104794.tif 000005
【図４】
2013104794.tif 000006
【図５】
2013104794.tif 000007
【図６】
2013104794.tif 000008
【図７】
2013104794.tif 000009
【図８】
2013104794.tif 000010
【図９】
2013104794.tif 000011
【図１０】
2013104794.tif 000012
【図１１】
2013104794.tif 000013
【図１２】
2013104794.tif 000014